(57)【要約】【課題】複数の無線端末局の同時送信機会を増加させてスループットの向上および遅延時間の短縮を可能にする。【解決手段】無線基地局は、自セルに属する複数の無線端末局の無線環境情報を取得する無線環境情報取得部と、無線環境情報に基づいて自セルに属する複数の無線端末局のグルーピングを行う無線端末局グルーピング部と、無線端末局グルーピング部で生成された各グループの送信機会を調整するスケジューリング部と、無線端末局グルーピング部で生成された各グループに、無線環境情報に応じて同時送信に必要なパラメータを算出して設定するパラメータ制御部とを備え、ＯＦＤＭＡによる同時送信を行う無線端末局のグループ化と、各グループの無線端末局に設定するＣＣＡ閾値を最適化する。【選択図】  図３
2020010115.tif 000002
【特許請求の範囲】
【請求項１】
共用無線周波数帯上で、無線基地局の自セルに属する複数の無線端末局がＯＦＤＭＡ(Orthogonal Frequency Division Multiple Access) を用いて同時送信する無線通信システムにおいて、
前記無線基地局は、
前記自セルに属する複数の無線端末局の無線環境情報を取得する無線環境情報取得部と、
前記無線環境情報に基づいて前記自セルに属する複数の無線端末局のグルーピングを行う無線端末局グルーピング部と、
前記無線端末局グルーピング部で生成された各グループの送信機会を調整するスケジューリング部と、
前記無線端末局グルーピング部で生成された各グループに、前記無線環境情報に応じて前記同時送信に必要なパラメータを算出して設定するパラメータ制御部と
を備え、
前記各グループの複数の無線端末局は、前記スケジューリング部で調整された送信機会に、前記パラメータ制御部で設定された前記パラメータを用いて前記同時送信を行う構成である
ことを特徴とする無線通信システム。
【請求項２】
請求項１に記載の無線通信システムにおいて、
前記無線環境情報取得部は、前記無線基地局と前記無線端末局との間の信号強度を示すＲＳＳＩ値を取得する構成である
ことを特徴とする無線通信システム。
【請求項３】
請求項２に記載の無線通信システムにおいて、
前記無線端末局グルーピング部は、前記同時送信が可能な無線端末局の台数を上限に、前記ＲＳＳＩ値が近接する複数の無線端末局を同一グループに振り分ける構成である
ことを特徴とする無線通信システム。
【請求項４】
請求項１に記載の無線通信システムにおいて、
前記スケジューリング部は、前記各グループに対して所定の順番に前記送信機会を与えるアクセス権をスケジューリングする構成である
ことを特徴とする無線通信システム。
【請求項５】
請求項２に記載の無線通信システムにおいて、
前記パラメータ制御部は、前記パラメータとして、同一グループの複数の無線端末局の中から最小の前記ＲＳＳＩ値に対応する当該グループのＣＣＡ閾値を算出し、同一グループの複数の無線端末局に同一のＣＣＡ閾値を設定する構成である
ことを特徴とする無線通信システム。
【請求項６】
共用無線周波数帯上で、無線基地局の自セルに属する複数の無線端末局がＯＦＤＭＡ(Orthogonal Frequency Division Multiple Access) を用いて同時送信する無線通信方法において、
前記無線基地局は、
前記自セルに属する複数の無線端末局の無線環境情報を取得する無線環境情報取得ステップと、
前記無線環境情報に基づいて前記自セルに属する複数の無線端末局のグルーピングを行う無線端末局グルーピングステップと、
前記無線端末局グルーピングステップで生成された各グループの送信機会を調整するスケジューリングステップと、
前記無線端末局グルーピングステップで生成された各グループに、前記無線環境情報に応じて前記同時送信に必要なパラメータを算出して設定するパラメータ制御ステップと
を有し、
前記各グループの複数の無線端末局は、前記スケジューリングステップで調整された送信機会に、前記パラメータ制御ステップで設定された前記パラメータを用いて前記同時送信を行う
ことを特徴とする無線通信方法。
【請求項７】
請求項６に記載の無線通信方法において、
前記無線環境情報取得ステップは、前記無線基地局と前記無線端末局との間の信号強度を示すＲＳＳＩ値を取得する処理を行い、
前記無線端末局グルーピングステップは、前記同時送信が可能な無線端末局の台数を上限に、前記ＲＳＳＩ値が近接する複数の無線端末局を同一グループに振り分ける処理を行い、
前記スケジューリングステップは、前記各グループに対して所定の順番に前記送信機会を与えるアクセス権をスケジューリングする処理を行い、
前記パラメータ制御ステップは、前記パラメータとして、同一グループの複数の無線端末局の中から最小の前記ＲＳＳＩ値に対応する当該グループのＣＣＡ閾値を算出し、同一グループの複数の無線端末局に同一のＣＣＡ閾値を設定する処理を行う
ことを特徴とする無線通信方法。
【請求項８】
共用無線周波数帯上で、無線基地局の自セルに属する複数の無線端末局がＯＦＤＭＡ(Orthogonal Frequency Division Multiple Access) を用いて同時送信する無線通信システムの無線基地局において、
前記自セルに属する複数の無線端末局の無線環境情報を取得する無線環境情報取得部と、
前記無線環境情報に基づいて前記自セルに属する複数の無線端末局のグルーピングを行う無線端末局グルーピング部と、
前記無線端末局グルーピング部で生成された各グループの送信機会を調整するスケジューリング部と、
前記無線端末局グルーピング部で生成された各グループに、前記無線環境情報に応じて前記同時送信に必要なパラメータを算出して設定するパラメータ制御部と
を備え、
前記各グループの複数の無線端末局に対して、前記スケジューリング部で調整された送信機会に、前記パラメータ制御部で設定された前記パラメータを用いて前記同時送信を行わせる構成である                                                                  ことを特徴とする無線基地局。
【発明の詳細な説明】
【技術分野】
【０００１】
本発明は、無線ＬＡＮ（Local Area Network）の稠密環境において、各無線局のＣＳＭＡ／ＣＡ（Carrier Sense Multiple Access with Collision Avoidance）制御に起因するスループットの低下を改善する無線通信システム、無線通信方法および無線基地局に関する。
【背景技術】
【０００２】
近年、ノートパソコンやスマートフォン等の持ち運び可能で高性能な無線端末の普及により企業や公共スペースだけではなく、一般家庭でもIEEE802.11標準規格の無線ＬＡＮが広く使われるようになっている。IEEE802.11標準規格の無線ＬＡＮには、 2.4ＧHz帯を用いるIEEE802.11b/g/n 規格の無線ＬＡＮと、５ＧHz帯を用いるIEEE802.11a/n/ac規格の無線ＬＡＮがある。
【０００３】
IEEE802.11ｂ規格やIEEE802.11ｇ規格の無線ＬＡＮでは、2400ＭHzから2483.5ＭHz間に５ＭHz間隔で13チャネルが用意されている。ただし、同一場所で複数のチャネルを使用する際は、干渉を避けるためスペクトルが重ならないようにチャネルを使用すると最大で３チャネル、場合によっては４チャネルまで同時に使用できる。
【０００４】
IEEE802.11ａ規格の無線ＬＡＮでは、日本の場合は、5170ＭHzから5330ＭHz間と、5490ＭHzから5710ＭHz間で、それぞれ互いに重ならない８チャネルおよび11チャネルの合計19チャネルが規定されている。なお、IEEE802.11ａ規格では、チャネル当たりの帯域幅が20ＭHzに固定されている。
【０００５】
無線ＬＡＮの最大伝送速度は、IEEE802.11ｂ規格の場合は11Ｍbps であり、IEEE802.11ａ規格やIEEE802.11ｇ規格の場合は54Ｍbps である。ただし、ここでの伝送速度は物理レイヤ上での伝送速度である。実際にはＭＡＣ（Medium Access Control ）レイヤでの伝送効率が50〜70％程度であるため、実際のスループットの上限値はIEEE802.11ｂ規格では５Ｍbps 程度、IEEE802.11ａ規格やIEEE802.11ｇ規格では30Ｍbps 程度である。また、伝送速度は、情報を送信しようとする無線局が増えればさらに低下する。
【０００６】
一方で、有線ＬＡＮでは、Ethernet（登録商標）の100Base-T インタフェースをはじめ、各家庭にも光ファイバを用いたＦＴＴＨ（Fiber to the home)の普及から、 100Ｍbps 〜１Ｇbps 級の高速回線の提供が普及しており、無線ＬＡＮにおいても更なる伝送速度の高速化が求められている。
【０００７】
そのため、2009年に標準化が完了したIEEE802.11ｎ規格では、これまで20ＭHzと固定されていたチャネル帯域幅が最大で40ＭHzに拡大され、また、空間多重送信技術（ＭＩＭＯ：Multiple input multiple output）技術の導入が決定された。IEEE802.11ｎ規格で規定されているすべての機能を適用して送受信を行うと、物理レイヤでは最大で 600Ｍbps の通信速度を実現可能である。
【０００８】
さらに、2013年に標準化が完了したIEEE802.11ac規格では、チャネル帯域幅を80ＭHzや最大で 160ＭHz（または80＋80ＭHz）まで拡大することや、空間分割多元接続（ＳＤＭＡ：Space Division Multiple Access）を適用したマルチユーザＭＩＭＯ（ＭＵ−ＭＩＭＯ）送信方法の導入が決定している。IEEE802.11ac規格で規定されているすべての機能を適用して送受信を行うと、物理レイヤでは最大で約 6.9Ｇbps の通信速度を実現可能である。
【０００９】
また、現在策定中のIEEE802.11ax規格では、上記の20ＭHz，40ＭHz，80ＭHz， 160ＭHz，80＋80ＭHzのチャネルを細かいサブチャネルに分け、フレームの送受信ができるＯＦＤＭＡ(Orthogonal Frequency Division Multiple Access) が規定される見込みである。ＯＦＤＭＡを用いると、上記チャネルを細かいサブチャネルに分けてリソースユニット単位で複数の無線局による同時送信が可能となる。さらに、IEEE802.11ax規格では、キャリアセンス閾値（ＣＣＡ閾値）制御により周辺の他セルからの干渉を抑えつつ通信機会を増大する機能が規定される見込みである（非特許文献１）。
【００１０】
IEEE802.11規格の無線ＬＡＮは、 2.4ＧHz帯または５ＧHz帯の免許不要な周波数帯で運用するため、IEEE802.11規格の無線基地局は、無線ＬＡＮセル（ＢＳＳ：Basic Service Set ）を形成する際に、自無線基地局で対応可能な周波数チャネルの中から１つの周波数チャネルを選択して運用する。
【００１１】
自セルで使用するチャネル、帯域幅およびそれ以外のパラメータの設定値および自無線基地局において対応可能なその他のパラメータは、定期的に送信するBeaconフレームや、無線端末から受信するProbe Request フレームに対するProbe responseフレーム等に記載し、運用が決定された周波数チャネル上でフレームを送信し、配下の無線端末および周辺の他無線局に通知することで、セルの運用を行っている。
【００１２】
無線基地局において、周波数チャネルや帯域幅およびその他のパラメータの選択および設定方法には、次の４つの方法がある。
(1) 無線基地局の製造メーカで設定されたデフォルトのパラメータ値をそのまま使用する方法
(2) 無線基地局を運用するユーザが手動で設定した値を使用する方法
(3) 各無線基地局が起動時に自局において検知する無線環境情報に基づいて自律的にパラメータ値を選択して設定する方法
(4) 無線ＬＡＮコントローラなどの集中制御局で決定されたパラメータ値を設定する方法
【００１３】
また、同一場所で同時に使えるチャネル数は、通信に用いるチャネル帯域幅によって、 2.4ＧHz帯の無線ＬＡＮでは３つ、５ＧHz帯の無線ＬＡＮでは２つ，４つ，９つ，または19のチャネルになるので、実際に無線ＬＡＮを導入する際には無線基地局が自ＢＳＳ内で使用するチャネルを選択する必要がある（非特許文献２）。
【００１４】
チャネル帯域幅を40ＭHz、80ＭHz、 160ＭHzまたは80＋80ＭHzと広くする場合、５ＧHz帯において同一場所で同時に使えるチャネル数は、チャネル帯域幅が20ＭHzで19チャネルだったものが、９チャネル、４チャネル、２チャネルと少なくなる。すなわち、チャネル帯域幅が増加するにつれて、使えるチャネル数が低減することになる。
【００１５】
使用可能なチャネル数よりもＢＳＳ数が多い無線ＬＡＮの稠密環境では、複数のＢＳＳが同一チャネルを使うことになる（ＯＢＳＳ：Overlapping BSS ）。そのため無線ＬＡＮでは、ＣＳＭＡ／ＣＡ（Carrier Sense Multiple Access with Collision Avoidance）を用いて、キャリアセンスによりチャネルが空いているときにのみデータの送信を行う自律分散的なアクセス制御が使われている。
【００１６】
具体的には、送信要求が発生した無線局は、まず所定のセンシング期間（ＤＩＦＳ：Distributed Inter-Frame Space ）だけキャリアセンスを行って無線媒体の状態を監視し、この間に他の無線局による送信信号が存在しなければ、ランダム・バックオフを行う。無線局は、引き続きランダム・バックオフ期間中もキャリアセンスを行うが、この間にも他の無線局による送信信号が存在しない場合に、チャネルの利用権を得る。なお、他の無線局による送受信は、予め設定されたキャリアセンス閾値よりも大きな信号を受信するか否かで判断される。チャネルの利用権を得た無線局は、同一ＢＳＳ内の他の無線局にデータを送信し、またそれらの無線局からデータを受信できる。このようなＣＳＭＡ／ＣＡ制御を行う場合、同一チャネルを使用する無線ＬＡＮの稠密環境では、キャリアセンスによりチャネルがビジーになる頻度が高くなるためスループットが低下する。したがって、周辺環境をモニタリングし、使用するチャネル、送信電力値、キャリアセンス閾値、減衰値、ＯＦＤＭＡリソースユニット、収容トラヒック量や、環境情報に応じて同時送信の選定などを適切に実施することが重要になる。
【００１７】
無線基地局におけるチャネルの選択などの上記パラメータの選択方法は、IEEE802.11標準規格で定まっていないため、各ベンダーが独自の方法を採用している。
【先行技術文献】
【特許文献】
【００１８】
【特許文献１】特開２０１７−２２４９４９号公報
【非特許文献】
【００１９】
【非特許文献１】Robert Stacey,“Specification Framework for TGax, ”2016年．
【非特許文献２】守倉正博、久保田周治監修、「８０２．１１高速無線ＬＡＮ教科書」改訂三版、インプレスＲ＆Ｄ、２００８年３月.
【発明の概要】
【発明が解決しようとする課題】
【００２０】
高効率無線ＬＡＮ規格（IEEE802.11ax）では、ＯＦＤＭＡを用いた複数の無線端末局による同時送信機能と、ＣＣＡ閾値制御により周辺の他セルからの干渉を抑えつつ通信機会を増大する機能が規定される見込みである。
【００２１】
IEEE802.11ax時代において、これらのＯＦＤＭＡおよびＣＣＡ閾値制御の効果を最大限に活かすためには、同時送信を実施する無線端末局の適切な選定と、各々の無線端末局で用いるＣＣＡ閾値の適切な設定が重要である。
【００２２】
本発明は、ＯＦＤＭＡによる同時送信を行う無線端末局のグループ化と、各グループの無線端末局に設定するＣＣＡ閾値を最適化することにより、複数の無線端末局の同時送信機会を増加させてスループットの向上および遅延時間の短縮を可能にする無線通信システム、無線通信方法および無線基地局を提供することを目的とする。
【課題を解決するための手段】
【００２３】
第１の発明は、共用無線周波数帯上で、無線基地局の自セルに属する複数の無線端末局がＯＦＤＭＡを用いて同時送信する無線通信システムにおいて、無線基地局は、自セルに属する複数の無線端末局の無線環境情報を取得する無線環境情報取得部と、無線環境情報に基づいて自セルに属する複数の無線端末局のグルーピングを行う無線端末局グルーピング部と、無線端末局グルーピング部で生成された各グループの送信機会を調整するスケジューリング部と、無線端末局グルーピング部で生成された各グループに、無線環境情報に応じて同時送信に必要なパラメータを算出して設定するパラメータ制御部とを備え、各グループの複数の無線端末局は、スケジューリング部で調整された送信機会に、パラメータ制御部で設定されたパラメータを用いて同時送信を行う構成である。
【００２４】
無線環境情報取得部は、無線基地局と無線端末局との間の信号強度を示すＲＳＳＩ値を取得する構成としてもよい。
【００２５】
無線端末局グルーピング部は、同時送信が可能な無線端末局の台数を上限に、ＲＳＳＩ値が近接する複数の無線端末局を同一グループに振り分ける構成としてもよい。
【００２６】
スケジューリング部は、各グループに対して所定の順番に送信機会を与えるアクセス権をスケジューリングする構成としてもよい。
【００２７】
パラメータ制御部は、パラメータとして、同一グループの複数の無線端末局の中から最小のＲＳＳＩ値に対応する当該グループのＣＣＡ閾値を算出し、同一グループの複数の無線端末局に同一のＣＣＡ閾値を設定する構成としてもよい。
【００２８】
第２の発明は、共用無線周波数帯上で、無線基地局の自セルに属する複数の無線端末局がＯＦＤＭＡを用いて同時送信する無線通信方法において、無線基地局は、自セルに属する複数の無線端末局の無線環境情報を取得する無線環境情報取得ステップと、無線環境情報に基づいて自セルに属する複数の無線端末局のグルーピングを行う無線端末局グルーピングステップと、無線端末局グルーピングステップで生成された各グループの送信機会を調整するスケジューリングステップと、無線端末局グルーピングステップで生成された各グループに、無線環境情報に応じて同時送信に必要なパラメータを算出して設定するパラメータ制御ステップとを有し、各グループの複数の無線端末局は、スケジューリングステップで調整された送信機会に、パラメータ制御ステップで設定されたパラメータを用いて同時送信を行う。
【００２９】
第２の発明の無線通信方法において、無線環境情報取得ステップは、無線基地局と無線端末局との間の信号強度を示すＲＳＳＩ値を取得する処理を行い、無線端末局グルーピングステップは、同時送信が可能な無線端末局の台数を上限に、ＲＳＳＩ値が近接する複数の無線端末局を同一グループに振り分ける処理を行い、スケジューリングステップは、各グループに対して所定の順番に送信機会を与えるアクセス権をスケジューリングする処理を行い、パラメータ制御ステップは、パラメータとして、同一グループの複数の無線端末局の中から最小のＲＳＳＩ値に対応する当該グループのＣＣＡ閾値を算出し、同一グループの複数の無線端末局に同一のＣＣＡ閾値を設定する処理を行う。
【００３０】
第３の発明は、共用無線周波数帯上で、無線基地局の自セルに属する複数の無線端末局がＯＦＤＭＡを用いて同時送信する無線通信システムの無線基地局において、自セルに属する複数の無線端末局の無線環境情報を取得する無線環境情報取得部と、無線環境情報に基づいて自セルに属する複数の無線端末局のグルーピングを行う無線端末局グルーピング部と、無線端末局グルーピング部で生成された各グループの送信機会を調整するスケジューリング部と、無線端末局グルーピング部で生成された各グループに、無線環境情報に応じて同時送信に必要なパラメータを算出して設定するパラメータ制御部とを備え、各グループの複数の無線端末局に対して、スケジューリング部で調整された送信機会に、パラメータ制御部で設定されたパラメータを用いて同時送信を行わせる構成である。
【発明の効果】
【００３１】
本発明、共用無線周波数帯を用いる無線基地局および無線端末局が密集している環境において、ＯＦＤＭＡによる同時送信が可能な無線端末局のグルーピングを行い、グループごとにＣＣＡ閾値を設定しているため、無線端末局における同時送信機会が増加し、スループットが向上する。また、送信機会が増えるため無線端末局のアクセス時間が短くなり、トラヒックの遅延時間が短くなる効果も期待できる。
【図面の簡単な説明】
【００３２】
【図１】本発明の無線通信システムの構成例を示す図である。
【図２】無線基地局ＡＰおよび無線端末局ＳＴＡの構成例を示す図である。
【図３】無線基地局ＡＰの処理手順例を示すフローチャートである。
【図４】無線端末局ＳＴＡのスケジューリングの例を示す図である。
【図５】本発明による効果を示す計算機シミュレーション結果を示す図である。
【発明を実施するための形態】
【００３３】
図１は、本発明の無線通信システムの構成例を示す。
図１において、無線基地局ＡＰは、無線端末局ＳＴＡ１〜ＳＴＡ６をグルーピングし、グループごとに送信機会を与えるアクセス権のスケジューリングとＣＣＡ閾値を設定する。各グループの無線端末局ＳＴＡは、設定されたスケジューリングとＣＣＡ閾値によるアクセス制御を行い、共用無線周波数帯上でＯＦＤＭＡを用いて同時送信する。以下、無線基地局ＡＰにおける無線端末局ＳＴＡのグルーピングの方法、スケジューリングの方法、およびＣＣＡ閾値の設定方法について説明する。
【００３４】
図２は、無線基地局ＡＰおよび無線端末局ＳＴＡの構成例を示す。
図２において、無線基地局ＡＰは、無線端末局ＳＴＡとデータ送受信を行う無線通信部１１と、自セルに属する無線端末局ＳＴＡの無線環境情報（ＲＳＳＩやＳＩＮＲ）を取得する無線環境情報取得部１２と、その無線環境情報に基づいて自セルに属する無線端末局ＳＴＡのグルーピングを行う無線端末局グルーピング部１３と、グループごとの送信機会を調整するスケジューリング部１４と、グループごとに適切なパラメータ（ＣＣＡ閾値）を算出して設定するパラメータ制御部１５と、キャリアセンスによりアクセス権を獲得するアクセス権獲得部１６とにより構成される。
【００３５】
無線端末局ＳＴＡは、無線基地局ＡＰとデータ送受信を行う無線通信部２１と、無線基地局ＡＰから通知されたグルーピング情報、スケジューリング情報、パラメータを保持する無線基地局通知情報保持部２２と、そのパラメータを用いたキャリアセンスによりアクセス権を獲得するアクセス権獲得部２３と、そのグルーピングおよびスケジューリングに従ってＯＦＤＭＡを用いた同時送信を行う送信制御部２４とにより構成される。
【００３６】
図３は、無線基地局ＡＰの処理手順例を示す。
図３において、無線基地局ＡＰの無線環境情報取得部１２は、自セルに属する無線端末局ＳＴＡの無線環境情報として、無線基地局ＡＰと無線端末局ＳＴＡとの間の信号強度を示すＲＳＳＩ値を取得する（Ｓ１）。
【００３７】
次に、無線端末局グルーピング部１３は、ＲＳＳＩ値に基づいて自セルに属する無線端末局ＳＴＡのグルーピングを行う（Ｓ２）。まず、グループに所属するＳＴＡ台数の上限として、ＯＦＤＭＡにより同時送信可能な台数を設定する。次に、同時送信可能台数を上限に、ＲＳＳＩ値が近接するＳＴＡを同一グループに振り分ける。すなわち、同一グループのＳＴＡのＲＳＳＩ値は所定の範囲内となり、グループごとにＲＳＳＩ値の所定の範囲は異なることになる。図１に示す例では、グループ１はＳＴＡ１，ＳＴＡ２、グループ２はＳＴＡ３，ＳＴＡ４、グループ３はＳＴＡ５，ＳＴＡ６となる。ここでは、グループ１，２，３の順にＲＳＳＩ値は小さくなるが、各グループで同時送信しようとするＳＴＡのＲＳＳＩ値は所定の範囲内で近接している。
【００３８】
次に、スケジューリング部１４は、グループごとの送信機会を調整するスケジューリングを行う（Ｓ３）。例えば、図４に矢印で示すように、グループ１，２，３の順番に送信機会を与えることにより、グループ間の送信機会の均等化を図る。
【００３９】
次に、パラメータ制御部１５は、グループごとのパラメータとして、グループに属する無線端末局ＳＴＡのＲＳＳＩ値に反比例する、例えばＲＳＳＩ値の最小値に対応するＣＣＡ閾値を算出して設定する（Ｓ４）。ＣＣＡ閾値を調整することにより信号受信感度を変更できる。例えば、ＣＣＡ閾値を−75dBｍに設定すると、−75dBｍ以上の信号のみを受信することになる。本発明では、各グループに属する全ての無線端末局ＳＴＡに対して同一のＣＣＡ閾値を設定する。
【００４０】
ここで、無線基地局ＡＰは、各グループに属する全ての無線端末局ＳＴＡからの信号を正常に受信する必要があるため、設定するＣＣＡ閾値は、当該グループの中でＡＰ−ＳＴＡ間のＲＳＳＩ値が最小の無線端末局ＳＴＡ、すなわち最も受信信号レベルが弱い無線端末局ＳＴＡに合わせる。
【００４１】
各グループの複数の無線端末局ＳＴＡは、グループごとに設定されるスケジューリングの順番で、無線基地局で算出され通知されたＣＣＡ閾値を用いてアクセス制御を行い、送信権を獲得したときに、ＯＦＤＭＡを用いて同時送信する。
【００４２】
図５は、本発明による効果を示す計算機シミュレーション結果を示す。
図５において、横軸は無線基地局ＡＰの密度、縦軸は無線通信システム全体のスループットである。Ａ１はグルーピングおよびＣＣＡ閾値制御を行わない場合であり、Ａ２はランダムグルーピングとグループごとのＣＣＡ閾値制御を行う場合であり、Ａ３は本発明によるグルーピングとグループごとのＣＣＡ閾値制御を行う場合である。
【００４３】
Ａ３の場合は、ＲＳＳＩ値がほぼ同等な無線端末局ＳＴＡをグループ化し、かつ無線基地局ＡＰに近い（ＲＳＳＩ値が大きい）グループほどＣＣＡ閾値を大きくするため、同時送信がしやすいパラメータ設定となり、スループットの向上および遅延時間の短縮が可能になる。一方、Ａ２の場合は、グルーピングがランダムのため、グループごとにＣＣＡ閾値制御を行っても、同時送信によるスループットの改善効果が小さい。
【符号の説明】
【００４４】
１１  無線通信部
１２  無線環境情報取得部
１３  無線端末局グルーピング部
１４  スケジューリング部
１５  パラメータ制御部
１６  アクセス権獲得部
２１  無線通信部
２２  無線基地局通知情報保持部
２３  アクセス権獲得部
２４  送信制御部
【図１】
2020010115.tif 000003
【図２】
2020010115.tif 000004
【図３】
2020010115.tif 000005
【図４】
2020010115.tif 000006
【図５】
2020010115.tif 000007